(57)【要約】      （修正有）【課題】兜飾り本体に容易に取付可能で、文字等の構成に依らず美観に優れたネームプレート付き兜飾り及び兜飾り用ネームプレートを提供する。【解決手段】ネームプレート付き兜飾り１は、兜飾り本体３と、兜飾り本体の前面に設けられる前立取付部５とを備え、前立取付部には、兜飾り用ネームプレート２が取り付けられ、兜飾り用ネームプレートは、文字又は図形を表示可能な板状の表示部７と、兜飾り用ネームプレートを前立取付部に着脱可能とするための取付部８とを備える。【選択図】図２
0003233928.tif 000002
【実用新案登録請求の範囲】
【請求項１】
兜飾り本体と、前記兜飾り本体の前面に設けられる前立取付部とを備え、
前記前立取付部には、兜飾り用ネームプレートが取り付けられ、
前記兜飾り用ネームプレートは、文字又は図形を表示可能な板状の表示部と、前記前立取付部に取付可能な取付部とを備えることを特徴とするネームプレート付き兜飾り。
【請求項２】
文字又は図形を表示可能な板状の表示部と、兜飾り本体の前面に設けられる前立取付部に取付可能な取付部とを備えることを特徴とする兜飾り用ネームプレート。
【考案の詳細な説明】
【技術分野】
【０００１】
本考案は、ネームプレートを備えるネームプレート付き兜飾り及び兜飾り用ネームプレートに関する。
【背景技術】
【０００２】
従来より、５月の端午の節句には、男児の健やかな成長を祈願し、鯉のぼり、五月人形、兜飾り等を飾る風習がある。また、兜飾り等の付近に、祝うべき男児の名前を書いた立札を立てることもある。しかし、立札には、倒れやすい、設置スペースが必要になるといった問題もあった。そのような中、特許文献１には、兜飾りの前面に取り付ける鍬形飾り体に男児の名前の文字を象った名札部を設けることで、立札を設置する場合の課題を解決する技術が開示されている。
【先行技術文献】
【特許文献】
【０００３】
【特許文献１】実用新案登録第３２２９５８５号公報
【考案の概要】
【考案が解決しようとする課題】
【０００４】
しかし、特許文献１に記載の技術は、鍬形飾りと名札部を一体としていることから、文字によっては各部首（返、冠、旁等）を、又は鍬形飾りと名札部とを一体化させるために、部首同士又は鍬形飾りと名札部とを連結する連結部を設ける必要があり、美観に優れないという課題が挙げられる。
【０００５】
そこで、本考案の目的は、兜飾り本体に容易に取付可能で、文字等の構成に依らず美観に優れたネームプレート付き兜飾り及び兜飾り用ネームプレートを提供することにある。
【課題を解決するための手段】
【０００６】
上記目的を達成するために、請求項１に記載の考案は、ネームプレート付き兜飾りであって、兜飾り本体と、兜飾り本体の前面に設けられる前立取付部とを備え、前立取付部に、兜飾り用ネームプレートが取り付けられ、兜飾り用ネームプレートは、文字又は図形を表示可能な板状の表示部と、前立取付部に取付可能な取付部とを備えることを特徴とする。
請求項２に記載の考案は、兜飾り用ネームプレートであって、文字又は図形を表示可能な板状の表示部と、兜飾り本体の前面に設けられる前立取付部に取付可能な取付部とを備えることを特徴とする。
【考案の効果】
【０００７】
請求項１及び２に記載の考案によれば、板状の表示部に、男児の名前や家紋を表示できるため、部首等、表示される文字等の構成同士を繋ぐ連結部を設ける必要がなくなる。連結部を必要としないため、例えば七つ星（七曜）のように独立した図形の集合からなる家紋であっても容易に表示することができる。また、鍬形飾りと兜飾り用ネームプレートとが別体であるため、それぞれを繋ぐ連結部も必要がなくなり、美観に優れる。さらにまた、本来は前立を取り付けるための前立取付部に取り付けるため、容易に兜飾り本体に取り付けられる。
【図面の簡単な説明】
【０００８】
【図１】従来の兜飾りを示す説明図であって、（ａ）は正面図、（ｂ）は前立を取り外した状態を示す正面図である。
【図２】本考案の兜飾り用ネームプレート及びネームプレート付き兜飾りを示す説明図であって、（ａ）は兜飾り用ネームプレートを取り付けた状態を示すネームプレート付き兜飾り、（ｂ）は名前を表示した兜飾り用ネームプレート、（ｃ）は家紋を表示した兜飾り用ネームプレートである。
【図３】兜飾り本体から外した前立の活用方法を示す説明図である。
【考案を実施するための形態】
【０００９】
以下、本考案の実施例の形態を図面に基づいて説明する。
図１は、従来の兜飾りを示す説明図であって、（ａ）は正面図、（ｂ）は前立を取り外した状態を示す正面図である。
図２は、本考案の兜飾り用ネームプレート及びネームプレート付き兜飾りを示す説明図であって、（ａ）は兜飾り用ネームプレートを取り付けた状態を示すネームプレート付き兜飾り、（ｂ）は名前を表示した兜飾り用ネームプレート、（ｃ）は家紋を表示した兜飾り用ネームプレートである。
【００１０】
従来の兜飾り１０は、図１（ａ）に示すように、兜飾り本体３と、兜飾り本体３の前面に設けられた鍬形飾り４と、鍬形飾り４の上方に設けられた前立としての竜頭６とを備える。竜頭６は、前立取付部５に着脱可能に設けられている。竜頭６は、図１（ｂ）に示すように、上方に向けて開口する略筒状の前立取付部５に対し、竜頭６に設けられた板バネ状の挿入部６ａを上方から挿入することで取り付けられる。
【００１１】
本考案のネームプレート付き兜飾り１は、図２（ａ）に示すように、兜飾り本体３と、兜飾り本体３の前面に設けられた鍬形飾り４と、鍬形飾り４の上方に設けられた兜飾り用ネームプレート２とを備える。兜飾り用ネームプレート２は、前立取付部５に着脱可能に設けられている。
【００１２】
兜飾り用ネームプレート２は、図２（ｂ），（ｃ）に示すように、円形平板状の表示部７と、表示部７の下部から下方に向けて延びる板バネ状の取付部８とを備える。
表示部７には、図２（ｂ）に示すように、名前を表示できる。この時、表示部７が板状であるため、文字の部首が各々離れていても、それぞれを連結するための連結部を設ける必要がないため、美観に優れる。
【００１３】
兜飾り用ネームプレート２は、上方に向けて開口する略筒状の前立取付部５に対し、兜飾り用ネームプレート２に設けられた板バネ状の取付部８（図２（ｂ），（ｃ））を上方から挿入することで取り付けられている。
兜飾り用ネームプレート２は、本来は竜頭６を取り付けるための前立取付部５に取付部８を挿入するだけで兜飾り本体３に取り付けられるため、兜飾り本体３に容易に取付可能となっている。取付部８は、竜頭６に設けられた挿入部６ａと同一形状に成形されるため、兜飾り用ネームプレート２を取り付けるために、新たに取付用の部位を設ける必要がない。また、鍬形飾り４と兜飾り用ネームプレート２とは別体であるため、それぞれを繋ぐ連結部を必要としないことから、美観に優れる。
【００１４】
また、兜飾り用ネームプレート２には、名前以外にも、家紋を表示することができる。例えば、図２（ｃ）に示すように、七つ星（七曜）のような独立した図形の集合からなる家紋であっても、名前の場合と同様に、それぞれを連結するための連結部を設ける必要がないため、美観に優れる。
表示部７に表示される名前及び家紋等の図形は、別体として成形したものを表示部７上に接着する等して固定して設けられても良いし、直接描かれても良い。
【００１５】
図３は、兜飾り本体から外した前立の活用方法を示す説明図である。
兜飾り用ネームプレート２を取り付けるために、兜飾り本体３から取り外された竜頭６は、例えば、図３に示すように、臥竜飾りとして活用することができる。従来の兜飾り１０のように兜飾り本体３に取り付けている場合とは異なり、竜頭６を側面から見ることができるため、竜頭６に施された造形を鑑賞し易くなる。
【００１６】
上記形態のネームプレート付き兜飾り１は、兜飾り本体３と、兜飾り本体３の前面に設けられる前立取付部５とを備え、前立取付部５には、兜飾り用ネームプレート２が取り付けられ、兜飾り用ネームプレート２は、文字又は図形を表示可能な板状の表示部７と、兜飾り用ネームプレート２を前立取付部５に着脱可能とするための取付部８とを備える。
よって、板状の表示部７に、男児の名前や家紋を表示できるため、部首等、表示される文字等の構成同士を繋ぐ連結部を設ける必要がなくなる。連結部を必要としないため、例えば七つ星（七曜）のように独立した図形の集合からなる家紋であっても容易に表示することができる。また、鍬形飾り４と兜飾り用ネームプレート２とが別体であるため、それぞれを繋ぐ連結部も必要がなくなり、美観に優れる。さらにまた、本来は竜頭６を取り付けるための前立取付部５に取り付けるため、容易に兜飾り本体３に取り付けられる。
【００１７】
以上は、本考案を図示例に基づいて説明したものであり、その技術範囲はこれに限定されるものではない。例えば、表示部は、名前等の図形が表示できれば円形に限定されず、多角形状等でも良い。また、平板以外にも、凸レンズ状、凹レンズ状のように曲面を有するものであっても良い。さらに、適宜、装飾が施されても良い。
また、取付部は、前立取付部と対応していれば、板バネ状以外の形状であっても良い。
また、兜飾りは、前立取付部を備えていれば、任意に装飾が加えられても良いし、他の形状であっても良い。
また、鍬形飾りは、図示した二本角型以外にも、他の形状の鍬形飾りであっても良い。
また、前立は、竜頭以外にも、獅子等の他のものが用いられても良い。前立の活用方法は、前立の種類に合わせて、使用者の好みの活用方法で用いられて良い。
【符号の説明】
【００１８】
１・・ネームプレート付き兜飾り、２・・兜飾り用ネームプレート、３・・兜飾り本体、５・・前立取付部、７・・表示部、８・・取付部。
【図１】
0003233928.tif 000003
【図２】
0003233928.tif 000004
【図３】
0003233928.tif 000005